(57)【特許請求の範囲】
【請求項１】
少なくとも支持体上の片面に受像層が形成されてなる中間転写媒体の受像層に、画像データに基づき、感熱転写媒体から選択的加熱手段で色材を転移させて背景部を形成する一次転写工程と、前記画像が形成された受像層を被転写体へ加熱加圧手段で転写する二次転写工程とからなる画像記録体の製造方法において、前記一次転写工程で中間転写媒体の受像層に画像部と毛抜き合わせ形状の背景部を偽造防止効果のある特殊な色材の色に類似するように通常の色材で調整された模造色材もしくは偽造防止効果のある特殊な色材の転移により形成し、前記画像部が他の印刷法により偽造防止効果のある特殊な色材もしくは該偽造防止効果のある特殊な色材の色に類似するように通常の色材で調整された模造色材で既に形成されている被転写体に、前記背景部を加熱加圧手段で転写することを特徴とする偽造防止効果のある画像記録体の製造方法。
【請求項２】
少なくとも支持体上の片面に受像層が形成されてなる中間転写媒体の受像層に、画像データに基づき、感熱転写媒体から選択的加熱手段で色材を転移させて画像部を形成する一次転写工程と、前記画像が形成された受像層を被転写体へ加熱加圧手段で転写する二次転写工程とからなる画像記録体の製造方法において、前記一次転写工程で中間転写媒体の受像層に背景部と毛抜き合わせ形状の画像部を偽造防止効果のある特殊な色材もしくはこの偽造防止効果のある特殊な色材の色に類似するように通常の色材で調整された模造色材の転移により形成し、背景部が他の印刷法により偽造防止効果のある特殊な色材の色に類似するように通常の色材で調整された模造色材もしくは偽造防止効果のある特殊な色材で既に形成されている被転写体に、前記画像部を加熱加圧手段で転写することを特徴とする偽造防止効果のある画像記録体の製造方法。
【請求項３】
前記感熱転写媒体として、支持体フィルム上に、偽造防止効果のある特殊な色材もしくは該偽造防止効果のある特殊な色材の模造色材による転写層が全面に配設されているもののいずれかを使用することを特徴とする請求項１または２記載の偽造防止効果のある画像記録体の製造方法。
【請求項４】
前記画像記録体の少なくとも受像層面側に絵柄印刷層を設けることを特徴とする請求項１乃至３のいずれか１項記載の偽造防止効果のある画像記録体の製造方法。
【発明の詳細な説明】
【技術分野】
【０００１】
本発明は、少なくとも支持体上の片面に受像層が積層されている中間転写媒体の受像層に、感熱転写媒体から転移された画像データに基づく画像を被転写体へ転写する画像記録体の製造方法及び画像記録体に関するものであり、特に、その画像を構成する画像部もしくはその背景部に偽造防止効果のある特殊な色材を用いた偽造防止効果のある画像記録体の製造方法及びその方法により得られる画像記録体に関する。
【背景技術】
【０００２】
従来、感熱転写記録において、少なくとも支持体上の片面に受像層が積層されている中間転写媒体を使用し、その受像層に画像データに基づく画像をサーマルヘッド等で転移（一次転写）し、転移されたその画像を受像層とともにパスポート等被転写体に加熱加圧で転写（二次転写あるいは再転写ともいう）する方法は、すでに公知である（例えば、特許文献１参照。）。
【０００３】
上記方法の場合、直接目的の受像体（以下被転写体という）へ印字する方法に較べて、高解像度の画像を得ることができたり、平滑でない被転写体への印字が可能である等メリットがある。この被転写体がパスポートや運転免許証等の各種身分証明書のような場合、様々な偽造防止の手法を併用して用いる場合があり、例えば、中間転写媒体側に偽造防止層を部分的に設けた場合、その偽造防止層に段差ができ、その段差が画像に影響を及ぼすといった問題を有していた。
【０００４】
また、あるパターン（画像）を偽造防止効果のある色材で基材に印刷し、その逆版即ちそのパターンと毛抜き合わせ形状の版を用い通常の色材で印刷したあと、その表面に絵柄を印刷すると、偽造防止効果のあるパターン（画像）と、その逆版で印刷したパターン（背景部）との境界の段差が絵柄表面から視認されるようになり偽造防止効果のあるパターンが判ってしまうという問題があった。さらにまた、偽造防止効果のある色材と通常の色材との表面状態の違いが絵柄表面から視認されるようになり偽造防止効果のあるパターンが判ってしまうという問題があった。
【０００５】
以下に、上記先行技術文献を示す。
【特許文献１】特開昭６３−８１０９３号公報
【発明の開示】
【発明が解決しようとする課題】
【０００６】
本発明は、かかる従来技術の問題点を解決するものであり、その課題とするところは、少なくとも支持体上の片面に受像層が積層されてなる中間転写媒体の受像層に、画像データに基づき、感熱転写媒体から選択的加熱手段で色材を転移させて画像部を形成する一次転写工程と、前記画像が形成された受像層を被転写体へ加熱加圧手段で転写する二次転写工程とからなる画像記録体の製造方法において、偽造防止効果のある特殊な色材でなる画像部分もしくはその背景部分と、通常の色材でなる背景部分もしくは画像部分の段差を無くし、かつ両色材でなる表面状態の違いが表面から視認されないようにする偽造防止効果のある画像記録体の製造方法及びその方法による画像記録体を提供することにある。
【課題を解決するための手段】
【００１１】本発明に於いて上記課題を解決するために、まず請求項１の発明では、少なくとも支持体上の片面に受像層が形成されてなる中間転写媒体の受像層に、画像データに基づき、感熱転写媒体から選択的加熱手段で色材を転移させて背景部を形成する一次転写工程と、前記画像が形成された受像層を被転写体へ加熱加圧手段で転写する二次転写工程とからなる画像記録体の製造方法において、前記一次転写工程で中間転写媒体の受像層に画像部と毛抜き合わせ形状の背景部を偽造防止効果のある特殊な色材の色に類似するように通常の色材で調整された模造色材もしくは偽造防止効果のある特殊な色材の転移により形成し、前記画像部が他の印刷法により偽造防止効果のある特殊な色材もしくは該偽造防止効果のある特殊な色材の色に類似するように通常の色材で調整された模造色材で既に形成されている被転写体に、前記背景部を加熱加圧手段で転写することを特徴とする偽造防止効果のある画像記録体の製造方法としたものである。【００１２】また、請求項２の発明では、少なくとも支持体上の片面に受像層が形成されてなる中間転写媒体の受像層に、画像データに基づき、感熱転写媒体から選択的加熱手段で色材を転移させて画像部を形成する一次転写工程と、前記画像が形成された受像層を被転写体へ加熱加圧手段で転写する二次転写工程とからなる画像記録体の製造方法において、前記一次転写工程で中間転写媒体の受像層に背景部と毛抜き合わせ形状の画像部を偽造防止効果のある特殊な色材もしくはこの偽造防止効果のある特殊な色材の色に類似するように通常の色材で調整された模造色材の転移により形成し、背景部が他の印刷法により偽造防止効果のある特殊な色材の色に類似するように通常の色材で調整された模造色材もしくは偽造防止効果のある特殊な色材で既に形成されている被転写体に、前記画像部を加熱加圧手段で転写することを特徴とする偽造防止効果のある画像記録体の製造方法としたものである。【００１３】
また、請求項３の発明では、前記感熱転写媒体として、支持体フィルム上に、偽造防止効果のある特殊な色材もしくは該偽造防止効果のある特殊な色材の模造色材による転写層が全面に配設されているもののいずれかを使用することを特徴とする請求項１または２記載の偽造防止効果のある画像記録体の製造方法としたものである。
【００１４】
また、請求項４の発明では、前記画像記録体の少なくとも受像層面側に絵柄印刷層を設けることを特徴とする請求項１乃至３のいずれか１項記載の偽造防止効果のある画像記録体の製造方法としたものである。
【００１６】
上記請求項でいう「毛抜き合わせ」とは、２枚以上の写真、図版、文字などが隙間または重なり合わせもなく隣合わせに組み立てられることをいう（印刷事典  日本印刷学会編）。
【発明の効果】
【００１７】
本発明は以上の構成であるから、下記に示す如き効果がある。
【００２２】
また、上記請求項１に係る発明によれば、画像部が他の印刷法により偽造防止効果のある特殊な色材もしくは該偽造防止効果のある特殊な色材の色に類似するように通常の色材で調整された模造色材で既に形成されている被転写体に、一次転写工程で中間転写媒体の受像層に前記画像部と毛抜き合わせ形状の背景部を偽造防止効果のある特殊な色材の色に類似するように通常の色材で調整された模造色材もしくは偽造防止効果のある特殊な色材の転移により形成し、前記背景部を加熱加圧手段で転写することによって、背景部と画像部との境界に段差を無くし、かつ偽造防止効果のある特殊な色材とその模造色材とによる背景部と画像部の表面状態の違いを無くしているので、表面からの偽造防止効果のある特殊な色材の背景部を視認することができないようにした偽造防止効果のある画像記録体の製造方法とすることができる。
【００２３】
また、上記請求項２に係る発明によれば、背景部が他の印刷法により偽造防止効果のある特殊な色材の色に類似するように通常の色材で調整された模造色材もしくは偽造防止効果のある特殊な色材で既に形成されている被転写体に、一次転写工程で中間転写媒体の受像層に前記画像部を偽造防止効果のある特殊な色材もしくはこの偽造防止効果のある特殊な色材の色に類似するように通常の色材で調整された模造色材の転移により形成し、前記画像部を加熱加圧手段で転写することによって、画像部と背景部との境界に段差を無くし、かつ偽造防止効果のある特殊な色材とその模造色材とによる画像部と背景部の表面状態の違いを無くしているので、表面からの偽造防止効果のある特殊な色材の画像部を視認することができないようにした偽造防止効果のある画像記録体の製造方法とすることができる。
【００２４】
さらにまた、上記請求項３に係る発明によれば、感熱転写媒体として、支持体フィルム上に、偽造防止効果のある特殊な色材もしくは該偽造防止効果のある特殊な色材の模造色材による転写層が全面に配設されているもののいずれかを使用することによって、偽造防止効果のある特殊な色材による転写層で画像部もしくは背景部を形成し、該偽造防止効果のある特殊な色材の模造色材による転写層で背景部もしくは画像部を形成する偽造防止効果のある画像記録体の製造方法とすることができる。
【００２５】
また、上記請求項４に係る発明によれば、画像記録体の少なくとも受像層面側に絵柄印刷層を設けることによって、該受像層の下面に設けられている偽造防止効果のある特殊な色材もしくは該特殊な色材の模造色材でなる画像部と背景部との境界の段差がより視認し難くなり、かつ特殊な色材とその模造色材との表面状態の違いがより視認し難くなる偽造防止効果のある画像記録体の製造方法とすることができる。
【発明を実施するための最良の形態】
【００２７】
図１は、中間転写媒体を示す側断面図で、支持体２の片面に受像層３を施した中間転写媒体１である。
【００２８】  また、図２は、中間画像記録体４及び被転写体７を示す側断面図であり、例えば、図２（ａ）に示すように、中間転写媒体１の受像層３上に偽造防止効果のある特殊な色材５が画像部としてパターン状に転写してあり、さらに特殊な色材５の画像部としてのパターンとは毛抜き合わせ形状の背景部として特殊な色材の模造色材６が転写してある中間画像記録体４であり、この中間画像記録体４を基材８からなる被転写体７に転写する偽造防止効果のある画像記録体の製造方法である。【００２９】
また、例えば、図２（ｂ）に示すように、中間転写媒体１の受像層３上に特殊な色材の模造色材６が画像部としてパターン状に転写してあり、さらにこの模造色材６の画像部としてのパターンとは毛抜き合わせ形状の背景部として偽造防止効果のある特殊な色材５が転写してある中間画像記録体４であり、この中間画像記録体４を基材８からなる被転写体７に転写する偽造防止効果のある画像記録体の製造方法とすることもできる。
【００３０】  また、図３は、上記請求項１の発明に係る中間画像記録体９及び被転写体１０を示す側断面図であり、例えば、図３（ａ）に示すように、中間転写媒体１の受像層３上に特殊な色材の模造色材６が画像部としてのパターンとは毛抜き合わせ形状の背景部のパターンとして転写してある中間画像記録体９であり、この中間画像記録体９を、基材８の表面上に前記模造色材６でなる背景部とは毛抜き合わせ形状の画像部として偽造防止効果のある特殊な色材５が既に他の印刷法で形成してある被転写体１０に転写する偽造防止効果のある画像記録体の製造方法である。【００３１】
また、例えば、図３（ｂ）に示すように、中間転写媒体１の受像層３上に偽造防止効果のある特殊な色材５が画像部とは毛抜き合わせ形状の背景部のパターンとして転写してある中間画像記録体９であり、この中間画像記録体９を、基材８の表面上に前記背景部とは毛抜き合わせ形状の画像部として特殊な色材の模造色材６が既に他の印刷法で形成してある被転写体１０に転写する偽造防止効果のある画像記録体の製造方法とすることもできる。
【００３２】  また、図４は、上記請求項２の発明に係る中間画像記録体１１及び被転写体１２を示す側断面図であり、例えば、図４（ａ）に示すように、中間転写媒体１の受像層３上に特殊な色材５が画像部のパターンとして転写してある中間画像記録体１１であり、この中間画像記録体１１を、基材８の表面上に模造色材６が前記画像部とは毛抜き合わせ形状の背景部のパターンとして既に他の印刷法で形成してある被転写体１２に転写する偽造防止効果のある画像記録体の製造方法である。【００３３】
また、例えば、図４（ｂ）に示すように、中間転写媒体１の受像層３上に特殊な色材の模造色材６が画像部のパターンとして転写してある中間画像記録体１１であり、この中間画像記録体１１を、基材８の表面上に前記画像部とは毛抜き合わせ形状の背景部として偽造防止効果のある特殊な色材５が既に他の印刷法で形成してある被転写体１２に転写する偽造防止効果のある画像記録体の製造方法とすることもできる。
【００３４】  図５は、上記偽造防止効果のある画像記録体の製造方法で得られた画像記録体１３の側断面図とその画像記録体１４の正面図であり、例えば、図５（ａ）に示すように、基材８と受像層３の間に、偽造防止効果のある特殊な色材５が画像部のパターンとして転写してあり、さらに特殊な色材５のパターンとは毛抜き合わせ形状の背景部のパターンになるように特殊な色材の模造色材６が転写してある画像記録体１３である。また、その画像記録体１３の正面図として、例えば、図５（ａ）に示すように、画像部のパターンが偽造防止効果のある特殊な色材５で形成されていて、その周辺の背景部のパターンとして特殊な色材の模造色材６で形成されている画像記録体１４である。【００３５】
また、例えば、図５（ｂ）に示すように、基材８と受像層３の間に、特殊な色材の模造色材６が画像部のパターンとして転写してあり、さらにその模造色材５のパターンとは毛抜き合わせ形状の背景部のパターンになるように偽造防止効果のある特殊な色材５が転写してある画像記録体１３である。また、その画像記録体１３の正面図として、例えば、図
５（ｂ）に示すように、画像部のパターンが特殊な色材の模造色材６で形成されていて、その周辺の背景部のパターンとして偽造防止効果のある特殊な色材５で形成されている画像記録体１４である。
【００３６】  また、図６は、上記請求項４の発明に係る画像記録体１５の側断面図とその画像記録体１６の正面図であり、例えば、図６（ａ）に示すように、画像記録体１３の表面上に絵柄層１７が設けてある画像記録体１５であり、この画像記録体１５の正面図として、ハート型の絵柄層１７が形成されている画像記録体１６であり、最表面は絵柄層１７が目視でき、特殊な色材５と模造色材６は表面上から目視出来ないようになっている。【００３７】
また、例えば、図６（ｂ）に示すように、画像記録体１３の基材８が透明な場合は、この画像記録体１３の両面に絵柄層１７が形成されている画像記録体１５とすることもできる。
【００３８】  また、図７は、感熱転写媒体１８、２６の側断面図とその感熱転写媒体１９、２７の平面図であり、例えば、図７（ａ）に示すように、支持体フィルム２０上に、イエローＹ、マゼンタＭ、シアンＣの３色からなる色材転写層２１と偽造防止効果のある特殊な色材５でなる転写層とが面順に繰り返し設けられている感熱転写媒体１８、１９を使用して偽造防止効果のある画像記録体の製造方法とするものである。【００３９】
また、例えば、図７（ｂ）に示すように、支持体フィルム２０上に、偽造防止効果のある特殊な色材５でなる転写層とこの特殊な色材の模造色材６でなる転写層とが面順に繰り返し設けられている感熱転写媒体２６、２７を使用して偽造防止効果のある画像記録体の製造方法とするものである。
【００４０】  さらにまた、図８は、上記請求項３の発明に係る感熱転写媒体２４、２２の側断面図とその感熱転写媒体２５、２３の平面図であり、例えば、図８（ａ）に示すように、支持体フィルム２０上に、偽造防止効果のある特殊な色材５でなる転写層が全面に施されている感熱転写媒体２４、２５を使用して、あるいは例えば、図８（ｂ）に示すように、支持体フィルム２０上に、特殊な色材の模造色材６でなる転写層が全面に施されている感熱転写媒体２２、２３を使用して、偽造防止効果のある画像記録体の製造方法とするものである。【００４１】
図９は、本発明の偽造防止効果のある画像記録体４０を得るための画像形成装置の一事例を示した説明図であり、少なくとも支持体上の片面に受像層が形成されてなる中間転写媒体３３の受像層に、画像データに基づき感熱転写媒体３２から色材をサーマルヘッド３４を用いて選択的加熱手段で転移させることで中間画像記録体３６を得る一次転写手段３５と、中間画像記録体３６の画像が記録された受像層を被転写体３７へ加熱加圧部３８を用いて転写し画像記録体４０を得る二次転写手段３９を備えた画像形成装置である。更に一次転写手段３５により中間転写媒体３３の受像層への一次転写３５を行えるように、また、中間画像記録体３６の画像が記録された受像層を被転写体３７へ二次転写手段３９を行えるように、少なくとも中間転写媒体３３の搬送と位置合せ、感熱転写媒体３２の搬送と位置合せ、中間転写媒体３３や感熱転写媒体３２と協同するサーマルヘッド３４の選択的発熱を含む動作、及び、加熱加圧手段の加熱加圧部３８の動作、の制御を行う画像形成制御部３１を備えている画像形成装置である。
【００４２】
また、図１０は、本発明の偽造防止効果のある画像記録体４０を得る製造工程の一事例を示す概略図であり、支持体上の片面に受像層が形成されてなる中間転写媒体３３の受像層に、画像データに基づき感熱転写媒体３２から偽造防止効果のある特殊な色材５と模造
色材６をサーマルヘッド３４によって選択的に転移させる一次転写手段３５により中間画像記録体３６を作製し、その中間画像記録体３６の画像が記録された受像層を被転写体３７へ加熱加圧部３８で転写する二次転写手段３９により基材画像記録体４０を得ることができる。
【００４３】
以下に本発明の偽造防止効果のある画像記録体を構成する材料やその製法等について詳細に説明する。
【００４４】
上記支持体２としては、コンデンサーペーパー等の紙またはポリエステルフィルム、ポリスチレンフィルム、ポリプロピレンフィルム、あるいはセロファン等が挙げられるが、特に耐熱性も高いことから好ましいのは、ポリエステルフィルム（具体例としては、ＰＥＴ〔ポリエチレンテレフタレート〕やＰＥＮ〔ポリエチレンナフタレート〕、等）である。なお、支持体２の厚さに特に制限はないが、画像形成装置の搬送性等を考慮すると、一般的には９〜３００μｍ、好ましくは１６〜２００μｍの範囲である。
【００４５】
また、受像層３は、感熱記録媒体から画像パターンを転写されるもので、通常熱可塑性樹脂が用いられる。受像層に使用する熱可塑性樹脂は、例えば、線状飽和ポリエステル等のポリエステル系樹脂、ポリ塩化ビニル、塩化ビニル／酢酸ビニル共重合物等の塩化ビニル系樹脂、ポリアクリル酸、ポリアクリル酸メチル、ポリアクリル酸ー２ーナフチル、ポリメタクリル酸、ポリメタクリル酸エチル、ポリアクリロニトリル、ポリメタクリロメチル、等のアクリル系樹脂、ポリスチレン、ポリビニルベンゼン、ポリビニルブチラール、スチレンーブタジエン共重合物等のビニル系樹脂、等が挙げられる。
【００４６】
上記受像層３中には、ブロッキング防止を目的として、各種フィラーを添加することができる。例えば、テフロン（登録商標）系微粒子、シリコン樹脂微粒子、ベンゾグアナミン樹脂−メラミン樹脂縮合物微粒子、デンプン、炭酸カルシウム、酸化チタン、タルク、カオリン、酸化亜鉛、炭酸カルシウム、シリカ、等が挙げられる。また、これらの添加量は熱可塑性樹脂１００部に対して１〜２０重量部が好ましい。
【００４７】
さらに、上記受像層３中には、紫外線吸収剤、製膜助剤、塗液安定剤、レベリング剤、帯電防止剤等の各種添加剤を添加することもできる。本発明の受像層は常法により製造することが出来、例えば、支持体２の一方に受像層形成用組成物をグラビア、メイヤーバー、ロールコートなどの塗工方法により塗工、乾燥して受像層を形成することにより製造することが出来る。
【００４８】
また、被転写体の基材８の素材は特に限定はしないが、ポリエチレンテレフタレート（ＰＥＴ）、ポリカーボネート（ＰＣ）、塩化ビニル（ＰＶＣ）、ポリプロピレン（ＰＰ）ポリスチレン（ＰＳ）、ポリエチレン（ＰＥ）等のプラスチック類または紙類、または、アルミニウム、金、銀等の金属箔や、上記素材の組み合わせでもよい。
【００４９】
上記基材８と中間画像記録体４、９、１１の受像層３の表面、偽造防止効果のある特殊な色材５との密着性、偽造防止効果のある特殊な色材の模造色材６、色材転写層２１との密着性の必要性から、基材８上に接着層があってもよい。また、接着層が複数の層を有していても当然のことながら構わない。
【００５０】
上記接着層は中間画像記録体４、９、１１の受像層３を効率的に転移させるため必要に応じて設けられ、接着層は中間画像記録体４、９、１１の受像層３の表面、偽造防止効果のある特殊な色材５、偽造防止効果のある特殊な色材の模造色材６、色材転写層２１との密着性が必要である。この接着層に使用する樹脂としては、ニトロセルロース、エチルセルロース、セルロースアセテートプロピオネート等のセルロース誘導体、ポリスチレン、
ポリα−メチルスチレン等のスチレン系樹脂、ポリメタクリル酸メチル、ポリアクリル酸エチル等のアクリル系樹脂、ポリ塩化ビニル、ポリ酢酸ビニル、塩化ビニル−酢酸ビニル共重合体、ポリビニルブチラール、ポリビニルアセタール等のビニル系樹脂、ポリエステル樹脂、ポリアミド樹脂、エポキシ樹脂、ポリウレタン樹脂、石油樹脂、アイオノマー、エチレンアクリル酸共重合体、エチレン−アクリル酸エステル共重合体等の合成樹脂、ロジン、ロジン変性マレイン酸樹脂、エステルガム、ポリイソブチレンゴム、ブチルゴム、スチレンブタジエンゴム、ブタジエンアクリロニトリルゴム、ポリアミド樹脂、ポリ塩素化オレフィン等の天然樹脂や合成ゴムの誘導体等が挙げられる。接着層は上記材料の１種あるいは２種以上よりなる組成物により形成することができる。
【００５１】
上記接着層に感圧粘着剤を使用する場合、この感圧粘着剤は、公知の粘着剤であればよく、例えば、アクリル系、ゴム系、酢ビ系粘着剤等である。また、接着層に感熱遅延粘着剤を使用する場合、公知の感熱遅延型粘着剤でよい。
【００５２】
偽造防止効果のある特殊な色材５としては、例えば、ある特定の波長域で励起され発光・燐光する蛍光性物質や畜光性物質を含む色材、フォトクロミックインキ、サーモクロミックインキ等の物質を含む色材、特定の紫外線や赤外線を吸収する物質を含む色材、磁性材料を含む色材等が挙げられ、これらを複数同時に用いても良い。
【００５３】
上記赤外線発光蛍光剤は、赤外光で励起し、可視光に発光する赤外可視変換蛍光剤と、赤外光で励起し、より長波長に発光するものがある。前者の赤外可視変換蛍光剤は、非常に特殊な励起機構を持つ蛍光体であり、エネルギーの小さな赤外線の光子を複数個用いることによって可視発光の励起を行う。二つのタイプの機構があり、一方は付活剤イオンの中の多段階の励起によって、他方は増感剤からの複数回の共鳴エネルギー伝達によって、それぞれ高い励起が可能になる。始めのタイプは、Ｅｒ3+やＨｏ3+を付活剤とする多くの母体結晶で観測され、後のタイプは増感剤Ｙｂ3+やが赤外線を吸収し、多段階のエネルギー伝達によって発光中心のＥｒ3+、Ｔｍ3+、Ｈｏ3+等を高い準位に励起する。また、母体結晶として硫化物（ＺｎＳ、ＣｄＳ）や酸硫化物（Ｙ2 Ｏ2 Ｓ）のように電子の移動度が大きく、光導電性を持った半導体的物質は、電子線励起蛍光体として使用することが可能である。
【００５４】
赤外光で励起し、より長波長に発光する赤外線発光蛍光剤は、例えば特開昭５４−３３６３４号公報や特開平３−２８８９８４号公報に記載されているように、ネオジウムとイッテルビウムとで賦活された蛍光体が挙げられる。ネオジウムイオン（Ｎｄ3+）は、８００ｎｍ付近に強い吸収をもち、励起光の吸収に適している。ネオジウムに吸収されたエネルギーは、高い効率でイッテルビウムイオンに伝達される。更に励起状態にあるイッテルビウムイオンはほぼ１００％の効率で９８０ｎｍ付近の発光を生ずることになる。
【００５５】
上記ネオジウムとイッテルビウムイオンとで賦活された情報記録用蛍光体としては、Ｃａ10（ＰＯ4 ）6 Ｆ2 ：Ｎｄ, Ｙｂ、Ｃａ8 Ｌａ2 （ＰＯ4 ）6 Ｏ2 ：Ｎｄ，Ｙｂ、ＹＡｌＯ3 ：Ｎｄ, Ｙｂ、Ｙ3 Ａｌ０5 Ｏ12：Ｎｄ, Ｙｂ等がある。これらドープ型の蛍光体の場合は、Ｎｄ及びＹｂは１〜１０％程度の賦活のものを用いている。更に、（Ｎｄ，Ｙｂ）Ｐ3 Ｏ9 、（Ｎｄ，Ｙｂ）Ｐ5 Ｏ14、Ｌｉ（Ｎｄ，Ｙｂ）Ｐ4 Ｏ12、Ｎａ（Ｎｄ，Ｙｂ）Ｐ4 Ｏ12、Ｋ（Ｎｄ，Ｙｂ）Ｐ4 Ｏ12、Ｋ3 （Ｎｄ，Ｙｂ）Ｐ2 Ｏ6 、Ｎａ（Ｎｄ，Ｙｂ）（ＷＯ4 ）2 、Ｎａ5 （Ｎｄ，Ｙｂ）（ＷＯ4 ）2 、Ｎａ（Ｎｄ，Ｙｂ）（ＭｏＯ4 ）2 、Ｎａ5 （Ｎｄ，Ｙｂ）（ＭｏＯ4 ）2 、Ｎａ2 （Ｎｄ，Ｙｂ）Ｍｇ2 （ＶＯ4 ）3 、Ａｌ3 （Ｎｄ，Ｙｂ）（ＢＯ3 ）4 、（Ａｌ, Ｃｒ）3 （Ｎｄ，Ｙｂ）（ＢＯ3 ）4 、Ｎａ5 （Ｎｄ，Ｙｂ）（ＳｉＯ3 ）4 、Ｎａ3 （Ｎｄ，Ｙｂ）Ｓｉ2 Ｏ7 、Ｎａ3 （Ｎｄ，Ｙｂ）Ｇｅ2 Ｏ7 、Ｎａ5 （Ｎｄ，Ｙｂ）（ＧｅＯ3 ）4 、（Ｎｄ，Ｙｂ）ＭｇＡｌ11Ｏ19及び、上記組成の（Ｎｄ，Ｙｂ）イオンの１部を３価を取り得るイオンでかつ、８
００ｎｍから１０００ｎｍの波長にわたって吸収のないイオン、すなわちイットリウム（Ｙ）、スカンジウム（Ｓｃ）、ランタン（Ｌａ）、セリウム（Ｃｅ）、カドリニウム（Ｇｄ）、ルテシウム（Ｌｕ）、ガリウム（Ｇａ）、インジウム（Ｉｎ）、アンチモン（Ｓｂ）、ビスマス（Ｂｉ）から選ばれた少なくとも１種のイオンにより置換された材料を蛍光体として用いることができる。Ｎｄ及びＹｂは約５％以上のものである。
【００５６】
偽造防止効果のある特殊な色材５、偽造防止効果のある特殊な色材の模造色材６、色材転写層２１の成分としては、バインダー中に公知の染料や顔料を分散させたものが挙げられ、これらは２種類以上組み合わせて使用することも可能であり、また色相調整のため顔料と染料を併用して使用してもよい。また、使用する色によって染料と顔料を使い分けても良い。
【００５７】
上記バインダー樹脂としては、例えばブチラール樹脂，ポリアミド樹脂，ポリエチレンイミン樹脂，スルホンアミド樹脂，ポリエステルポリオール樹脂，石油樹脂，スチレン，αーメチルスチレン，２ーメチルスチレン，クロルスチレン，ビニル安息香酸，ビニルベンゼンスルホン酸ソーダ，アミノスチレン等のスチレン及びその誘導体，置換体の単独重合体や共重合体，メチルメタクリレート，エチルメタクリレート，ヒドロキシエチルメタクリレート等のメタクリル酸エステル類及びメタクリル酸，メチルアクリレート，エチルアクリレート，ブチルアクリレート，αーエチルヘキシルアクリレート等のアクリル酸エステル及びアクリル酸，ブタジエン，イソジエン，イソプレン等のジエン類，アクリロニトリル，ビニルエーテル類，マレイン酸及びマレイン酸エステル類，無水マレイン酸，ケイ皮酸，塩化ビニル，酢酸ビニル等のビニル系単量体の単独あるいは他の単量体等の共重合体を用いることができる。これらの樹脂は２種以上混合して用いることもできる。また、離型剤、軟化剤として、例えばパルミチン酸，ステアリン酸等の高級脂肪酸，ステアリン酸亜鉛の如き脂肪酸金属塩類，脂肪酸エステル類もしくはその部分ケン化物，脂肪酸アミド類等の脂肪酸誘導体，高級アルコール類，多価アルコール類のエテル等誘導体，パラフィンワックス，カルナバワックス，モンタンワックス，ミツロウ，木ロウ，キャンデリラワックス等のワックス類，粘度平均分子量が約１，０００から１０，０００程度の低分子量ポリエチレン，ポリプロピレン，ポリブチレン等のポリオレフイン類，或いはオレフイン，αーオレフイン類と無水マレイン酸，アクリル酸，メタクリル酸等の有機酸，酢酸ビニル等との低分子量共重合体，低分子量酸化ポリオレフイン，ハロゲン化ポリオレフイン類，ラウリルメタクリレート，ステアリルメタクリレート等長鎖アルキル側鎖を有するメタクリル酸エステル，メタクリル酸エステル類の単独もしくはスチレン類等のビニル系単量体との共重合体、ポリジメチルシロキサン，ポリジフェニルシロキサン等の低分子量シリコーンレジン及びシリコーン変性有機物質等が挙げられ、１種あるいは２種以上を選択して用いても良い。
【００５８】
また、その界面活性剤として、インキ層中の組成物に相溶するものならば特に制限はなく混入させることもできる。例えば、脂肪酸塩類、高級アルコール硫酸エステル塩類、脂肪族アミンもしくは脂肪族アミドの硫酸塩類、脂肪族アルコール燐酸エステル塩類、二塩基性脂肪酸エステルのスルホン酸塩類、脂肪族アミドスルホン酸塩類、アルキルアリルスルホン酸塩類、ホルマリン縮合のナフタレンスルホン酸塩類等のアニオン系界面活性剤、脂肪族アミン塩類、第四級アンモニウム塩類、アルキルピリジニウム塩類等のカチオン系界面活性剤、ポリオキシエチレンアルキルエーテル類、ポリオキシエチレンアルキルフェノールエーテル類、ポリオキシエチレンアルキルエステル類、ソルビタンアルキルエステル類、ポリオキシエチレンソルビタンアルキルエステル類等の非イオン系界面活性剤、カルボン酸誘導体、イミダゾリン誘導体等の両性界面活性剤等、パーフルオロアルキルカルボン酸類、フルオロ脂肪族基含有アクリレートもしくはフルオロ脂肪族基含有メタクリレートとポリオキシアルキレンアクリレートもしくはポリオキシアルキレンメタクリレートとの共重合体、パーフルオロアルキルスルホンアミド類等が挙げられる。
また、感熱転写媒体の支持体フィルム２０としては、色材層の形成のし易さや取扱い易さ、あるいは機械的強度の観点から、コンデンサーペーパー等の紙またはポリエステルフィルム、ポリスチレンフィルム、ポリプロピレンフィルム、あるいはセロファン等が挙げられるが、特には耐熱性も高いことから好ましいのはポリエステルフィルム（具体例としては、ＰＥＴ〔ポリエチレンテレフタレート〕やＰＥＮ〔ポリエチレンナフタレート〕、等）である。なお、基材の厚みは、機械的強度、取扱い易さあるいは入手の容易さから２〜５０μｍがよいが、本発明のより高い効果を期待するには（熱伝導率、熱伝達率、蓄熱性能、等の熱的特性にも関係するため）２〜１６μｍがより好適である。
【００５９】
色材転写層２１としては、イエロー、マゼンタ、シアン３色、その３色に墨を追加した４色でも構わない。また、各色の間に位置合わせ検知用のレジスターマーク等が存在しても何ら問題は無い。この色材転写層２１は、受像層３に感熱転写媒体１８、１９からサーマルヘッド３４によって色材転写層２１を選択的に転移させる一次転写手段３５時に偽造防止効果のある特殊な色材の模造色材６を形成できる。
【００６０】
本発明に係る一次転写手段３５時における画像形成方式は、昇華転写方式、樹脂型転写方式、ワックス型溶融転写方式等の熱転写方式のいずれの方式でも適合でき、上記色材層の成分としては、バインダー中に公知の染料や顔料を分散させたものが挙げられ、これらは２種類以上組み合わせて使用することも可能であり、また色相調整のため顔料と染料を併用して使用してもよい。また、使用する色によって染料と顔料を使い分けても良い。
【００６１】
本発明の画像記録体１３の上側または下側の両側に絵柄層１７印刷がされていてもよい。ここでの上側とは、受像層３がある側を指し、この絵柄層１７はグラビア印刷、オフセット印刷、スクリーン印刷、インクジェット印刷等で設けてもよいし、エンボス加工によって凹凸パターンを形成してもよい。
【００６２】
また、絵柄層１７と受像層１３の間に、必要に応じて隠蔽層を設けてもよい。隠蔽層は、下部に設けられている特殊な色材５と模造色材６を絵柄層１７から見え難くするもので、通常のＵＶインキ、グラビアインキ、オフセットインキ、スクリーンインキ、インクジェットインキ等によって設けられる。特に、受像層１３の上に透明なＵＶインキを１０μｍ程度印刷し、その上に光透過性の低い白色のＵＶインキを印刷した後、絵柄層１７を印刷すると、特殊な色材５と模造色材６のパターンが視認できなくなる。また、隠蔽層が複数の層を有していても良い。
【００６３】
以下に、本発明の具体的実施例について説明する。
【実施例１】
【００６４】
＜感熱転写媒体（感熱転写シート）の製造＞
支持体フィルム２０として、ポリエステルフィルム４．５μｍに下記色材転写層２１（イエロー、マゼンタ、シアン）、偽造防止効果のある特殊な色材５として顔料に赤外発光蛍光剤ＩＲＳ−Ｆ（根本特殊化学社製）を使用し、特殊な色材の印刷をグラビア印刷機で、乾燥温度９０℃で、パターンコートして、サンプルを作成した。各乾燥膜厚は、色材転写層はすべて０．４μｍ、偽造防止効果のある特殊な色材層は１．０μｍである。
【００６５】
（イエロー色材転写層組成物）
イエロー顔料                            ３．０部
ブチラール樹脂                          ６．０部
テトラヒドロフロン                    ６０．０部
トルエン                              ３１．０部
（マゼンタ色材転写層組成物）
マゼンタ顔料                            １．５部
ブチラール樹脂                          ７．５部
テトラヒドロフロン                    ６０．０部
トルエン                              ３１．０部
（シアン色材転写層組成物）
シアン顔料                              １．５部
ブチラール樹脂                          ７．５部
テトラヒドロフロン                    ６０．０部
トルエン                              ３１．０部
（偽造防止効果のある特殊な色材組成物）
アクリル樹脂                          １５．０部
ポリエステル樹脂                        ５．０部
ＩＲＳ−Ｆ顔料                        １０．０部
メチルエチルケトン                    ３５．０部
トルエン                              ３５．０部
＜中間転写媒体（箔）の製造＞
支持体２として、ポリエステルフィルム２５μｍに以下の組成からなる受像層３をグラビア印刷機で、乾燥温度９０℃にて塗布乾燥し、サンプルを作成した。受像層の乾燥膜厚は４．０μｍである。
（受像層組成物）
塩化ビニル−酢酸ビニル共重合樹脂        ８．０部
エポキシ樹脂                            ４．０部
ウレタン樹脂                            ８．０部
テトラヒドロフラン                    ６０．０部
メチルエチルケトン                    ２０．０部
この感熱転写媒体（感熱転写シート）と中間転写媒体（箔）とを用い、市販の熱転写型のプリンターを使用して受像層に色材転写層によって作られる模造色材６と偽造防止効果のある特殊な色材の転移を行った後、被転写体である基材８（北越製紙社製のノーバック３６０）に１６０℃に加熱したシリコンゴムロールにて転写させて画像記録体を作製した。
【００６６】
上記画像記録体の受像層上に隠蔽層として白色ＵＶ硬化インキ：ＵＶ１６１スーパーホワイト（Ｔ＆Ｋ  ＴＯＫＡ社製）をＲＩテスターで３ｃｃ／２ｐｃの厚みで印刷した。更にその上に絵柄層１７をＵＶ硬化インキ：ＵＶ１６１−藍（Ｔ＆Ｋ  ＴＯＫＡ社製）を１．５ｃｃ／２ｐｃの厚みで印刷し、絵柄層のある画像記録体を作製した。
【００６７】
上記絵柄層のある画像記録体は絵柄層側、基材側の両側から見ても偽造防止効果のある色材のパターンが視認できなかった。また、赤外発光蛍光剤ＩＲＳ−Ｆの部分を読み取ることのできるカメラ（赤外モニター）を使用すると、偽造防止効果のある色材のパターンが確認できた。
【図面の簡単な説明】
【００６８】
【図１】本発明の偽造防止効果のある画像記録体の製造方法に使用する中間転写媒体の一事例を示す側断面図である。
【図２】本発明の偽造防止効果のある画像記録体の製造方法に使用する中間記録媒体と被転写体を示すもので、（ａ）は、その一事例を示す側断面図であり、（ｂ）は、他の一事例を示す側断面図である。
【図３】本発明の偽造防止効果のある画像記録体の製造方法に使用する中間記録媒体と被転写体を示すもので、（ａ）は、その一事例を示す側断面図であり、（ｂ）は、他の一事例を示す側断面図である。
【図４】本発明の偽造防止効果のある画像記録体の製造方法に使用する中間記録媒体と被転写体を示すもので、（ａ）は、その一事例を示す側断面図であり、（ｂ）は、他の一事例を示す側断面図である。
【図５】本発明の偽造防止効果のある画像記録体を説明するもので、（ａ）は、その一事例を示す側断面図と正面図であり、（ｂ）は、他の一事例を示す側断面図と正面図である。
【図６】本発明の偽造防止効果のある画像記録体を説明するもので、（ａ）は、絵柄層のある画像記録体の一事例を示す側断面図と正面図であり、（ｂ）は、絵柄層のある画像記録体の他の事例を示す側断面図である。
【図７】本発明の偽造防止効果のある画像記録体の製造に使用する感熱転写媒体を説明するもので、（ａ）は、その一事例を示す側断面図と正面図であり、（ｂ）は、他の一事例を示す側断面図と正面図である。
【図８】本発明の偽造防止効果のある画像記録体の製造に使用する感熱転写媒体を説明するもので、（ａ）は、その一事例を示す側断面図と正面図であり、（ｂ）は、他の一事例を示す側断面図と正面図である。
【図９】本発明の偽造防止効果のある画像記録体を製造する画像形成装置に関するフローチャートである。
【図１０】本発明の偽造防止効果のある画像記録体の製造工程を説明する概略側面図である。
【符号の説明】
【００６９】
１‥‥中間転写媒体
２‥‥支持体
３‥‥受像層
４‥‥中間画像記録体
５‥‥偽造防止効果のある特殊な色材
６‥‥偽造防止効果のある特殊な色材の模造色材
７‥‥被転写体
８‥‥基材
９‥‥中間画像記録体
１０‥‥被転写体
１１‥‥中間画像記録体
１２‥‥被転写体
１３‥‥断面で見た画像記録体
１４‥‥正面から見た画像記録体
１５‥‥断面で見た絵柄層のある画像記録体
１６‥‥正面から見た絵柄層のある画像記録体
１７‥‥絵柄層
１８‥‥断面で見た感熱転写媒体
１９‥‥正面から見た感熱転写媒体
２０‥‥支持体フィルム
２１‥‥色材転写層
２２‥‥断面で見た感熱転写媒体
２３‥‥正面から見た感熱転写媒体
２４‥‥断面で見た感熱転写媒体
２５‥‥正面から見た感熱転写媒体
２６‥‥断面で見た感熱転写媒体
２７‥‥正面から見た感熱転写媒体
３１‥‥画像形成制御部
３２‥‥感熱転写媒体
３３‥‥中間転写媒体
３４‥‥サーマルヘッド
３５‥‥一次転写手段
３６‥‥中間画像記録体  
３７‥‥被転写体
３８‥‥加熱加圧部
３９‥‥二次転写手段
４０‥‥画像記録体
【図１】
0004788218.tif 000002
【図２】
0004788218.tif 000003
【図３】
0004788218.tif 000004
【図４】
0004788218.tif 000005
【図５】
0004788218.tif 000006
【図６】
0004788218.tif 000007
【図７】
0004788218.tif 000008
【図８】
0004788218.tif 000009
【図９】
0004788218.tif 000010
【図１０】
0004788218.tif 000011